(57)【要約】【課題】使用者は空気調和機の使用期間が耐用年数を超えているか否かを容易に知り得て、買換え時期であることを容易に知ることができ、かつ異常コードを容易に確認できる空気調和機を提供する。【解決手段】本室内機は、制御手段を備えた室内機、室外機および双方向通信が可能なリモコンを備え、リモコンの操作スイッチによるリクエスト信号で、制御手段に記憶されている情報より、空気調和機の機種名、製造年月日からの経過年数、運転情報および異常コードを室内機側から前記リモコンに送信し、このリモコンの表示部に受信情報を表示する表示モードを備える。【選択図】  図６
2011052922.tif 000002
【特許請求の範囲】
【請求項１】
制御手段を備えた室内機、室外機および双方向通信が可能なリモコンを備えた空気調和機において、
リモコンの操作スイッチによるリクエスト信号で、前記制御手段に記憶されている情報より、空気調和機の機種名、製造年月日からの経過年数、運転情報および異常コードを室内機側から前記リモコンに送信し、このリモコンの表示部に受信情報を表示する表示モードを備えたことを特徴とする空気調和機。
【請求項２】
前記リモコンは現在の年月日を設定する時計機能を備え、前記記制御手段は製造年月日を記憶しておき、リモコンに設けた操作スイッチにより送信されたリクエスト信号を受信した前記制御手段は、現在の年月日と記憶されている製造年月日との差より経過年数を算出し、その年数が所定年数を超えている場合に、リモコンの表示部にその旨を表示することを特徴とする請求項１に記載の空気調和機。
【請求項３】
前記リモコンは、積算電気代の表示が要求された場合、一昨日の積算電気代、昨日の積算電気代、今日の積算電気代をリモコンに数値と棒グラフで表示させることを特徴とする請求項１または２に記載の空気調和機。
【発明の詳細な説明】
【技術分野】
【０００１】
本発明は空気調和機に係り、特に製品の機種名、製造日からの経過年数などを容易に確認できる空気調和機に関する。
【背景技術】
【０００２】
一般に空気調和機を長期間使用すると、異常発生の点検・修理依頼などが必要な場合があり、このときに機種名の確認が必要であり、従来の空気調和機では、取扱説明書などの印刷物もしくは、室内機に備え付けてある装置銘板などにて確認する必要があった。
【０００３】
また、従来の空気調和機などに用いるリモコンにおいて、異常発生の点検・修理依頼時に機種名や、エラーコードを表示するものはあったが、使用期間が耐用年数を超えているか否かを表示する機能は無かった。このため、製品が据付けられてから、故障が発生するまでは、その製品が耐用年数を超えていることに気が付かずに使用しているため、予期していない時期に、急に故障して、修理を依頼したり、新しい製品に取り替えなければならなくなり、その期間は空気調和機が使用できないといった問題が発生する。
【０００４】
特に、夏場などに故障した場合は、修理あるいは、新しい製品への取替えに相当の時間を要するといった問題が発生する。
【０００５】
一方、空気調和機の耐用年数は、日本電機工業会のＪＥＭ規格（日本電機工業会規格）で１０年と設定され、１０年を経過したものは、空気調和機を安全かつ安心して使用するために、買い換えることが推奨されている。
【０００６】
そこで使用者にとっては、自分が使用している空気調和機の機種名と使用期間が耐用年数を超えているか否かを容易に知り得ることが必要となる。
【０００７】
なお、エラーコードにより、故障原因をリモコンに表示する温水器が提案されているが、この温水器は製造日からの経過年数が表示されないため、使用期間が耐用年数を超えているか否かを容易に判断できず、買換え時期であることを使用者が容易に知ることができない（例えば、特許文献１参照）。
【先行技術文献】
【特許文献】
【０００８】
【特許文献１】特開２００１−２７２０９７号公報
【発明の概要】
【発明が解決しようとする課題】
【０００９】
本発明は上述した事情を考慮してなされたもので、空気調和機の機種名、製造年月日からの経過年数、および異常コードを室内機側からリモコンに送信して、その表示部に表示することで、使用者は空気調和機の使用期間が耐用年数を超えているか否かを容易に知り得て、買換え時期であることを容易に知ることができ、かつ異常コードを容易に確認できる空気調和機を提供することを目的とする。
【課題を解決するための手段】
【００１０】
上述した目的を達成するため、本発明に係る空気調和機は、制御手段を備えた室内機、室外機および双方向通信が可能なリモコンを備えた空気調和機において、リモコンの操作スイッチによるリクエスト信号で、前記制御手段に記憶されている情報より、空気調和機の機種名、製造年月日からの経過年数、運転情報および異常コードを室内機側から前記リモコンに送信し、このリモコンの表示部に受信情報を表示する表示モードを備えたことを特徴とする。
【発明の効果】
【００１１】
本発明に係る空気調和機によれば、使用者は空気調和機の使用期間が耐用年数を超えているか否かを容易に知り得て、買換え時期であることを容易に知ることができ、かつ異常コードを容易に確認できる空気調和機を提供することができる。
【図面の簡単な説明】
【００１２】
【図１】本発明の一実施形態に係る空気調和機の斜視図。
【図２】本発明の一実施形態に係る空気調和機の室内機に用いる制御ブロック図。
【図３】本発明の一実施形態に係る空気調和機に用いるリモコンの平面図。
【図４】本発明の一実施形態に係る空気調和機に用いるリモコンの制御ブロック図。
【図５】本発明の一実施形態に係る空気調和機に用いるリモコンの表示状態（「安全ガイド」）を示す説明図。
【図６】本発明の一実施形態に係る空気調和機に用いるリモコンの表示状態（「耐用年数など」）を示す説明図。
【図７】本発明の一実施形態に係る空気調和機に用いる室内機に設けられた運転表示部の点滅状態で区分される異常内容と、その異常内容に対応して設定された異常コード番号の関係を示す説明図。
【図８】本発明の一実施形態に係る空気調和機に用いるリモコンの表示状態（「電気代表示」）を示す説明図。
【発明を実施するための形態】
【００１３】
本発明の一実施形態に係る空気調和機について図面を参照して説明する。
【００１４】
図１に示すように、本実施形態の空気調和機は、室内機１と室外に設置される室外機４０（図２）より構成される。
【００１５】
室内機１は室内機本体２を備え、この室内機本体２は外郭筐体を構成する前面パネル３と、この前面パネル３に覆われ内部に配置される構成部品を取り付ける後本体組立４とから構成され、上下方向に対し幅方向に横長状をなす。
【００１６】
室内機本体２の前面側一部に前面吸込口５が開口され、この前面吸込口５に対向する前面パネル３には開閉駆動機構に支持される可動パネル３Ａが嵌め込まれている。
【００１７】
室内機本体２の上部には上面吸込口６が設けられる。この上面吸込口６には枠状の桟が嵌め込まれていて、複数の空間部に仕切られている。すなわち、上面吸込口６は常時、全面的に開口された吸込部となっている。これに対して前面吸込口５は、突出した可動パネル３Ａと前面パネル３との隙間が、実質的な吸込部となる。
【００１８】
また、室内機本体２内には、いずれも図示しない、室内熱交換器、フィルタ清掃装置、空気清浄機および室内ファンなどが設けられ、室内機本体の前面には運転状態の情報を表示する室内機の運転表示部１９が設けられる。
【００１９】
図２に示すように、室内機１の室内機制御装置は、電気部品箱に収容されたメイン基板ＣＢ１、室内機１の前面部に取り付けられた室内機の運転表示部１９に配置された表示基板ＣＢ２、受光基板ＣＢ３により構成される。
【００２０】
メイン基板ＣＢ１には室内機全体および室外機全体を総括して制御する例えば室内機のＭＣＵ（マイクロコントローラ・ユニット）１１をはじめ各種の回路が取り付けられ、室内機のＭＣＵ１１は整流器などを備えた電源回路１２を介して電源に接続される。
【００２１】
室内機のＭＣＵ１１はＣＰＵ、メモリなどを備え、ＣＰＵがＲＯＭ及びＲＡＭとデータのやりとりを行いながらＲＯＭに記憶されている制御プログラムを実行する。
【００２２】
また、室内機のＭＣＵ１１はシリアル回路１３が接続され、室外機４０に搭載された圧縮機、室外送風機の運転を制御する室外機制御回路（図示せず）との信号の伝達を行う。
【００２３】
インバータ回路を含む室外機制御回路は整流回路のＤＣ電圧をＰＷＭ制御して、ＤＣをＡＣに変換して圧縮機に内蔵された圧縮機モータを可変速駆動する。
【００２４】
さらに、室内機のＭＣＵ１１は、室内ファンを駆動制御する室内ファン駆動回路１４が接続され、また、冷凍サイクルにおける室内熱交換器の中間に介在され除湿弁として機能する二方弁を駆動制御する二方弁駆動回路１５が接続され、換気機構のファンモータを駆動制御する換気機構駆動回路１６が接続される。
【００２５】
さらに、室内機のＭＣＵ１１は、上下風向変更用ルーバー、左右風向変更用ルーバー、吸込口前面に配置され前後方向に移動される開閉パネル移動機構などの機能部品を駆動制御する駆動モータの駆動回路１７が接続され、さらに、換気機構の通風路切換用のダンパー、室内機に内蔵されたエアフィルタ清掃機構の駆動回路１８が接続される。このエアフィルタ清掃機構は、例えば、上部と下部に分割したエアフィルタの中間部にフィルタの埃を掻き取る回転ブラシと、この回転ブラシを収納しブラシで除去した埃を収納するダストボックスを配置し、上下各フィルタをこのダストボックス部分に移動させることでフィルタの埃を除去する構成のものが配置される。ダストボックス内に溜った埃は、一端側を換気機構とダクトで連結して、フィルタの接触部の開口をシール機構で閉塞し、ダクト状として、ダンパーを切り換えることで、換気機構を介して吸引排気する構成となっている。なお、エアフィルタ清掃機構は、上記構成のものに限定されるものではなく、他の方式の装置でも良い。
【００２６】
室内機１の前面に、運転状態、運転モードを表示する室内機の運転表示部１９を構成する表示基板ＣＢ２が設けられ、室内機のＭＣＵ１１に駆動回路を介して接続される。
【００２７】
さらに、室内機１の前面に、ワイヤレスリモコンと、信号のデータの受信発信を行う発信器と、受信器を装着したデータ受送信部とが取り付けられた受光基板ＣＢ３が設けられ、室内機のＭＣＵ１１に駆動回路２０を介して接続される。
【００２８】
また室内機のＭＣＵ１１には、室内温度を検出するために、前面吸込口５の近傍に設けた室内温度センサー、湿度センサー、室内空気の汚れ度を検出する空清センサー、前面パネルの開閉状態検知用のマイクロスイッチ、エアフィルタの装着状態検知用のマイクロスイッチなどの電装部品が接続される。
【００２９】
図３に示すように、本空気調和機は、室内の使用者の手元に配置されるリモコン３０を備え、このリモコン３０の操作により、室内機１に運転操作信号が送られ、この内容に基づき運転が制御される。
【００３０】
リモコン３０は、上部に表示部３１が設けられ、この表示部３１には現在の月日時間表示部３１ａ、タイマー運転時間帯表示部３１ｂ、設定温度表示部３１ｃ、運転モードなどの情報表示部３１ｄが設けられる。
【００３１】
また、リモコン３０の中央部には運転モード設定ボタン領域３２、リモコン３０の下部には、動作設定ボタン領域３３が設けられている。
【００３２】
運転モード設定ボタン領域３２には、冷房運転ボタンＢ２、除湿運転ボタン、暖房運転ボタン、停止ボタンＢ３、自動運転ボタン、温度設定ボタン、情報表示部３１ｄに表示される空気調和機の省エネ運転状態の表示内容を切り換える表示切換えボタン（「見エルネ」ボタン）、情報表示部３１ｄに大きな文字で温度・湿度・電気代などの情報の表示を指示するボタン（「おしえて」ボタン）Ｂ６が設けられる。
【００３３】
この「おしえて」ボタンＢ６は、１回押すと今回の運転時間、電気代を表示し、２回押すと今回のＣＯ2排出量を表示し、３回押すと今月電気代を表示し、４回押すと現在の室温、湿度、外気温を表示し、５回押すと今日の積算電気代、昨日の積算電気代、一昨日の積算電気代の数値を表示し、６回押すと今日、昨日、一昨日の積算電気代を棒グラフで表示する。
【００３４】
さらに、動作設定ボタン領域３３には、快適気流ボタン、風向ボタン、風量ボタン、スイングボタン、空清（空気清浄）ボタン、タイマー入ボタン、切タイマーボタン、戻ボタン、取消ボタン、スクロールボタンＢ５、メニューボタンＢ４、決定ボタンが設けられる。
【００３５】
また、図４に示すように、リモコン３０は内部に時計機能、タイマー機能、表示部制御機能、室内機との制御情報に関する制御機能などのリモコン制御手段として機能するリモコンＭＣＵ３５を含む制御回路を備え、このリモコンＭＣＵ３５には、停止ボタンＢを含む多数の入力ボタンにより入力されるリモコン側送受信手段３６が接続され、さらにこのリモコン側送受信手段３６にはリモコン側送受信回路３７が接続される。
【００３６】
さらに、室内機１の制御手段をなす室内機のＭＣＵ１１には、リモコン３０の操作スイッチによるリクエスト信号で、室内機のＭＣＵ１１に記憶されている情報より、空気調和機の機種名、製造年月日からの経過年数、運転情報および異常コードをリモコン３０に送信し、表示部３１に受信情報を表示する表示モードを備える。
【００３７】
すなわち、室内機のＭＣＵ１１は製造年月日を記憶させておき、リモコン３０に設けた操作ボタンを押すことで送信されたリクエスト信号を受信して、リモコン３０に設定されている現在の年月日の情報と室内機のＭＣＵ１１に記憶されている製造年月日との差より経過年数を算出し、その年数が所定年数を超えている場合、リモコン３０の表示部３１に表示する機能を備える。
【００３８】
また、室内機のＭＣＵ１１は、リモコン３０から積算電気代の表示を要求するリクエスト信号を受信した場合、一昨日の積算電気代、昨日の積算電気代、今日の積算電気代をリモコン３０の表示部３１に数値と棒グラフで表示させる機能を備える。
【００３９】
本空気調和機は、リモコン３０で少なくとも、冷房運転モード、暖房運転モード、自動運転モードが選択可能となっている。
【００４０】
冷房運転モードと暖房運転モードは、使用者が冷房或いは暖房を要望し、且つ希望の温度を設定して運転するものであり、リモコン３０にて、希望する室内温度を設定し、運転スイッチを操作することで室内を冷房或いは暖房する。この運転は、使用者の寒暑に対する感覚に応じて設定温度を上下調節して好みの温度に調節するもので、使用者の快適性を優先させる運転モードである。
【００４１】
これに対し、自動運転モードは、予め空気調和機自体が、室外の温度や季節などの情報から室内の快適性と省エネ性を考慮して、設定温度を自動的に決めるものである。
【００４２】
機内クリーニング運転は、エアフィルタを自動的に清掃するフィルタ清掃運転と、機内乾燥運転からなり、この機内乾燥運転は、冷房運転時には室内熱交換器を除湿・暖房運転モードで乾燥させて乾燥空気を室内機本体内に循環させ、暖房運転時には空気清浄機ユニットを運転する。
【００４３】
次に本空気調和機の動作について説明する。
【００４４】
冷房運転モードを例にとり説明する。
【００４５】
使用者は温度設定ボタン（スクロールボタン）Ｂ１を操作して快適に感じる希望温度を設定し、冷房運転ボタンＢ２を押して空気調和機を冷房運転モードで運転するように指令することで、リモコン３０に設定された温度と冷房運転の指令信号が室内機１に送信される。また、リモコン表示部３１の設定温度表示部３１ｃには設定温度が表示される。一方、設定温度は室内機のＭＣＵ１１でメモリに記憶される。室内機１に設置された室内温度センサーが、室内機本体２に吸い込まれる空気の温度を検出し、設定温度との差に基づき空気調和機は、冷房運転制御が行われる。
【００４６】
使用者は、その運転状態により、室内温度が自分の快適と感じる状態より低い、或いは高いと感じた場合は、リモコン３０の設定温度を高め或いは低めに変更すれば、リモコン３０から室内機１にその情報が送られることにより、設定温度が変更され、室内機１に配置されている室内温度センサーとの差により、冷房運転が行われ、希望の温度に調節される。
【００４７】
冷房運転を停止する場合、リモコン３０の停止ボタンＢ３を押すことで、リモコンＭＣＵ３５、リモコン側送受信回路３６、リモコン側送受信手段３７を介して室内機１にその情報が送られることにより、室内機のＭＣＵ１１および室外機制御回路を介して、室内ファン、室外機４０に搭載された圧縮機、室外送風機の運転を停止する。
【００４８】
このような冷房運転中あるいは運転停止中に、使用者はリモコン３０に設けたメニューボタンＢ４を押して、図５に示すように、メニューで「安全ガイド」を選択すると、リモコン３０から室内機のＭＣＵ１１に、安全ガイドに関するデータ抽出指示の信号が送られる。これに対応して、室内機のＭＣＵ１１が、リモコンから送信される時刻情報と、室内機のＭＣＵ１１に記憶している製造年月日の情報から、経過年を演算するとともに、室内機の機種名情報室内機の異常に関する点検情報などの抽出を行い、その結果を、リモコン３０に送信し、リモコン表示部３１の情報表示部３１ｄに表示させる。
【００４９】
図６は、上記の結果に基づく表示内容を示すもので、図６（ａ）は１０年経過未満で異常運転および運転状況なしの場合であり、「機種名」例えばＲＡＳ−４０２ＵＤＲが表示される。この場合、スクロールボタンＢ５を操作してカーソルを移動しようとしても、この表示以外の内容は表示されない。これにより使用者は、機種名と空気調和機の使用期間が耐用年数の１０年を超えていないことを容易に確認できる。
【００５０】
図６（ｂ）は１０年経過で異常運転および運転状況なしの場合であり、スクロールボタンＢ５を操作してカーソルを移動すると、経過年数、例えば１０年が表示される。
【００５１】
図６（ｃ）は１０年経過未満で異常および運転状況ありの場合であり、経過年数は表示されず、カーソルを移動すると、異常情報としての「異常内容」、例えば室内機０Ｃが表示され、この「異常内容」の表示は、室内機１に設けた表示ランプが異常発生を知らせる点滅を行っているときのみ行われる。
【００５２】
この点滅が行われているときは、図７に示すように、室内機１の運転表示部１９に運転ランプ５秒点滅の（ａ）、（ｃ）および運転ランプおよびタイマーランプ５秒点滅の（ｂ）、（ｄ）のように２通りの表示がなされる。
【００５３】
さらに、図７に示すように、室内機１の運転表示部１９に設けられた運転状態を示すランプの一部が点滅状態となった場合は、ランプの種類に応じて、空気調和機の異常個所、異常内容の区分を示すものであり、室内機に異常が発生したことを示した場合、この異常内容がどのようなものかを図７の下側に示す数値で設定している。この異常状態の内容は、図７（ａ）に示す表示状態の場合は、室内機系に不具合が発生したことを示し、例えば、図６（ｃ）に示すように、カーソルを移動することで、図７（ａ）の下側に示された異常コードの１つが表示される。この異常コードは使用者によって読み取られ、サービスマンに連絡される。
【００５４】
なお、図７（ｂ）に示す表示状態の場合は、室内外の配線、電源、通信系等に不具合が発生したことを示し、図７（ｃ）に示す表示状態の場合は、室外機系に不具合が発生したことを示し、図７（ｄ）に示す表示状態の場合は、上記以外、または圧縮機に不具合が発生した場合を示し、それぞれ、異常個所、内容に応じて、設定されたコード番号が付与されている。したがって、上記異常状態が、室内機の運転表示部１９に発生した場合は、図６（ｃ）に示す、リモコン３０の情報表示部３１ｄにその異常内容に応じた異常コード番号が表示される。
【００５５】
このように、空気調和機で発生した異常は迅速に把握され、速やかにサービスマンに連絡され、速やかに修理が行われる。
【００５６】
さらに、カーソルを移動することで、運転状況例えばダストボックス清掃が表示される。
【００５７】
図６（ｄ）は１０年経過後で異常および運転状況ありの場合であり、図６（ｂ）と同様に経過年数、例えば１０年が表示され、図６（ｃ）と同様に、異常発生箇所と運転状況が表示される。
【００５８】
上記のように「安全ガイド」を用いた各種チェックを行うことで、取扱説明書などの印刷物や、空気調和機の装置銘版を見ることなく、空気調和機の機種名を確認することが可能であり、製造日からの経過年数、異常コードも同時に確認することが可能であることから、異常発生時のサービス問い合わせ時などをスムーズに実施することができ、サービス性向上となる。
【００５９】
また、リモコンの表示部は、液晶のドット表示部で構成し、液晶に最も大きな表示部に、前記の機種名、経過年、異常コードなどを表示することで、使用者が手元で容易に認知できるようになり、使い勝手の向上となる。
【００６０】
「経過年」は、製品寿命として設定した所定期間（例えば１０年）経過以降より表示し、表示は１年単位とする。この表示により、使用者に使用期間が製品寿命に近づいたことを告知し、買換えの準備、あるいは、故障した場合の買換えを促し、製品の耐用期間を経過して使用することによる部品劣化による事故の発生を未然に防ぐ、あるいは、使用中に急に故障して使用できなくなることを避けることができる。
【００６１】
なお、「異常内容」については、本体ランプ点滅による異常発生時のみ表示する。これにより、所定期間以前は、特に使用期間を気にせずに利用でき、所定期間が過ぎた場合は、製品の耐用年数が経過しているため、サービスマンによる点検を行い、異常個所の有無の事前確認や、故障で運転不能になる前に買換えを準備することで、使用者が安心して空気調和機を使用することができる。
【００６２】
また、図８に示すように、自動運転中、リモコン３０の「おしえて」ボタンＢ６（図３）を２回押すことで、一昨日の積算電気代、昨日の積算電気代、今日の積算電気代をリモコンに数値と棒グラフが交互に表示される。
【００６３】
これにより、今日、昨日、一昨日の日ごとの積算電気代を知ることができる。今日の積算電気代は０時から現在までの値であり、昨日および一昨日の積算電気代は各々２４時間の値である。
【００６４】
また、積算電気代の棒グラフ表示は、今日、昨日、一昨日の積算電気代のうち、最も値が大きいものを基準として１００％で表示し、残りの他の日は基準に対する割合で表示する。これにより、３日間の積算電気代の差を視覚的に分かり易く認識できる。
【００６５】
本実施形態に係る空気調和機によれば、使用者は空気調和機の使用期間が耐用年数を超えている否かを容易に知り得て、買換え時期であることを容易に知ることができ、かつ異常コードを容易に確認できる空気調和機が実現される。
【符号の説明】
【００６６】
１…室内機、２…室内機本体、３…前面パネル、３Ａ…可動パネル、５…前面吸込口、６…上面吸込口、１１…室内機のＭＣＵ（マイクロコントローラ・ユニット）、１２…電源回路、１３…シリアル回路、１４…室内ファン駆動回路、１５…二方弁駆動回路、１６…換気機構駆動回路、１７…駆動モータの駆動回路、１８…エアフィルタ清掃機構の駆動回路、１９…室内機の運転表示部、２０…駆動回路、３０…リモコン、３１…表示部、３１ａ…月日時間表示、３１ｂ…タイマー運転時間帯表示部、３１ｃ…設定温度表示部、３１ｄ…情報表示部、３２…運転モード設定ボタン領域、３３…動作設定ボタン領域、３５…リモコンＭＣＵ、３６…リモコン側送受信回路、３７…リモコン側送受信手段、４０…室外機。
【図１】
2011052922.tif 000003
【図２】
2011052922.tif 000004
【図３】
2011052922.tif 000005
【図４】
2011052922.tif 000006
【図５】
2011052922.tif 000007
【図６】
2011052922.tif 000008
【図７】
2011052922.tif 000009
【図８】
2011052922.tif 000010